(57)【要約】【課題】衣服の重ね着をする際、中に着用している衣服の袖がずり上がることが多く高齢者や手の不自由な方は自力で袖口から手を入れずり上がった袖を引き下ろすことが困難であり、健常者の場合でも袖口に手を入れてずり上がった袖を引き出すことによりニットなどの袖口が伸びてしまうこともあった。 【解決手段】衣服の重ね着の際の衣服の袖のずり上がりを防止するために中に着用した衣服の袖と共に手の甲から肘辺りまでを覆う。腕を覆う部分は面ファスナーにより開閉できる形状となっている。手首側には指を通す開口部が設けられ、前記開口部とは別に親指を通すことのできる開口部を設けていることにより、上着の着用時に本発明のアームカバーが一緒にずり上がることはない。本発明のアームカバーの繊維はすべりの良い繊維を使用することにより、上着を着用後に袖口から簡単に抜き取ることができる。 【選択図】図２
2019090119.tif 000002
【特許請求の範囲】
【請求項１】
手の甲から少なくとも肘までを覆うアームカバーであり、該アームカバーはシート状で可撓性を有する本体部と、該本体部を腕に巻きつけて、該巻き付けた状態で固定するための固定手段と、前記本体部に手の甲が挿通される開口部と指が挿通される開口部が設けられていることを特徴とするアームカバー。
【請求項２】
前記アームカバーの本体部は布で構成されていることを特徴とする請求項１記載のアームカバー。
【請求項３】
前記固定手段は前記本体部の一方側表面部に設けられた面ファスナーのメスと他方側裏面部に設けられた面ファスナーのオスで構成されていることを特徴とする請求項１又は２記載のアームカバー。
【発明の詳細な説明】
【技術分野】
【０００１】
本発明は、衣服着用時の重ね着をする際に着用したインナー等の袖のずり上がりを防止する衣服着用を補助するアームカバーに関する。
【背景技術】
【０００２】
衣服の重ね着をする際、中に着用している衣服の袖がずり上がることが多く、特にインナーに関してはアウターから露出しないように少し袖丈の短いものも多い。そのためインナーなどのずり上がった袖を上に着用した袖口から手を入れて引き下ろしているとニットなどは袖口が伸びてしまうこともあった。
また、高齢者や手の不自由な方は自力で引き下ろすのは困難である。
このようなことから衣服着用を補助するアームカバーを提供する。
【発明の概要】
【発明が解決しようとする課題】
【０００３】
衣服の重ね着をする際、中に着用している衣服の袖がずり上がることが多く、特にインナーに関してはアウターから出ないように少し袖丈の短いものもあり、上着の袖口から手を入れてずり上がった衣服の袖を引き下ろすことが難しく、ニットなどは袖口が伸びてしまうこともあった。
また、高齢者や手の不自由な方は自力で引き下ろすのは困難である。
【課題を解決するための手段】
【０００４】
前記した問題点を解決するために本発明においては、手の甲から少なくとも肘までを覆うアームカバーであり、該アームカバーはシート状で可撓性を有する本体部と、該本体部を腕に巻きつけて、該巻き付けた状態で固定するための固定手段と、前記本体部に手の甲が挿通される開口部と指が挿通される開口部が設けられていることを特徴とする。
【０００５】
また、本発明においては、前記アームカバーの本体部は布で構成されていることを特徴とする。
【０００６】
また、本発明においては、前記固定手段は前記本体部の一方側表面部に設けられた面ファスナーのメスと他方側裏面部に設けられた面ファスナーのオスで構成されていることを特徴とする。
【発明の効果】
【０００７】
本発明のアームカバーを使用することにより、衣服の重ね着の際に先に着用した衣服の袖がずり上がることがなく、特に高齢者や手の不自由な方が上着の袖口から手を入れずに済むため衣服着用時の袖のずり上がりのわずらわしさから開放される。また、健常者の方でも上着の袖口から手を入れずに済むことにより、ニットなどは袖口が伸びてしまうこともなくなる利点がある。
【図面の簡単な説明】
【０００８】
【図１】本発明の第一実施例を示すアームカバーの展開図である。
【図２】本発明の第一実施例を示し、アームカバーを固定手段で固定した状態の図である。
【図３】本発明の第二実施例を示し、第一実施例と同様の使用態様となるアームカバーの展開図である。
【図４】本発明の第二実施例を示し、アームカバーを固定手段で固定した状態の図である。
【図５】本発明の第一実施例で示したアームカバーを腕に装着した使用態様を示す斜視図である。
【発明を実施するための形態】
【０００９】
以下、本発明の実施形態に係る第一実施例のアームカバーＡを、図１に基づき説明する。このアームカバーＡは本体部２を備えたすべりの良い繊維で構成された（例えばナイロン系繊維など）シート状の本体部２と、この本体部２の一端側に形成された手の甲部分が挿通される筒状部２aとで構成されている。そして、この本体部2の一方側表面部には面ファスナーメス３を、他方側裏面部には面ファスナーオス４を設けてあり、本体部２の一端部が手首側開口部５となっている。そして、本体部２の手首側開口部５から肘側へ少し入った位置（手の甲の大きさに対応した位置）に、親指通し用開口部６が設けられている。
【００１０】
このように構成されたアームカバーＡの使用形状を図２に示す。このアームカバーＡは、本体部２に設けられた面ファスナーメス３と面ファスナーオス４（図２においては点線表示）を留めると本体部２は筒状となる。
【００１１】
次に、本発明の実施形態に係る第二実施例のアームカバーＢを、図３に基づき説明する。このアームカバーＢは第一実施例のアームカバーＡの親指通し用開口部が本体部2の筒状部2aに直接構成しているのに対して、本体部９の筒状部９aに切欠部９bを構成されている。
【００１２】
このように構成されたアームカバーＢの使用形状を図４に示す。このアームカバーＢは、面ファスナーメス１０と面ファスナーオス１１（図4においては点線表示）を留め、本体部９が筒状となり、その際、切欠部9ｂが親指通し用開口部１３を形成するようになっている。なお、本体部９を展開すると親指通し用開口部１３は開放される。
【００１３】
図１を代表として補足する。本体部２に面ファスナーメス３、面ファスナーオス４を3箇所設けた例示としているが、面ファスナーメス３、面ファスナーオス４の大きさや数は限定されるものではない。しかし、さまざまなユーザーに向けて面ファスナーである程度のサイズ調整が出来ることが望ましい。
【００１４】
そこで図１で例示しているように、本体部２の一方側表面部には面ファスナーメス３を面ファスナーオス４より大きめで設け、他方側裏面部には面ファスナーオス４を面ファスナーメス３より小さめで設けることにより、上着を着用する際に上着の裏に面ファスナーオス４が引っかかることなく、さまざまなユーザーに向けてある程度のサイズ調整が可能となる。
【００１５】
図５は、第一実施例の使用形態を示し、手首側開口部５から指が出た状態と、親指通し用開口部６から親指が出た状態を示している。なお、第二実施例の使用形態も第一実施例の使用形態とほぼ同様となるため図示していない。なお、第一実施例と第二実施例共に肘上までの長さで例示しているが、長さは限定されるものではない。
【００１６】
図５においては、親指通し用開口部６に親指のみを通す使用態様を示しているが、本発明はこのような使用態様に限定されるものではない。親指通し用開口部６に通す指は、親指ではなく他の指であっても構わないし、親指１本でなく２本以上の指であっても構わない。
【００１７】
ユーザーは、手先を本体部２の手首側開口部５や、親指通し用開口部６に挿入し、その後、本体部２で衣服の袖と共に腕７を覆い、面ファスナーメス３と面ファスナーオス４を留めて装着し、通常通り上着を着用後、アームカバーＡの手首側開口部５を矢印８の方向に引き抜く。
【産業上の利用可能性】
【００１８】
本発明は、衣服の重ね着の際に先に着用した衣服の袖がずり上がることがなく、特に高齢者や手の不自由な方が袖口から手を入れずに済むため衣服着用時の袖のずり上がりのわずらわしさから開放される。また、健常者の方でも袖口から手を入れずに済むことにより、ニットなどの袖口が伸びてしまうこともなくなる利点がある。
【符号の説明】
【００１９】
Ａ、Ｂ、アームカバー2、9    本体部
2a、9a  本体部の筒状部
9b、    切欠部3、10   面ファスナーメス
4、11   面ファスナーオス
5、12   手首側開口部
6、13   親指通し用開口部
7       腕
8       引き抜き方向表示矢印
【図１】
2019090119.tif 000003
【図２】
2019090119.tif 000004
【図３】
2019090119.tif 000005
【図４】
2019090119.tif 000006
【図５】
2019090119.tif 000007